(57)【要約】【課題】複数の端子が取付けられた凸部同士の間隔を狭くすることができ、製造が容易で、小型化が可能で、信頼性が高くなるようにする。【解決手段】各々が、コネクタ本体と、該コネクタ本体に取付けられた複数の端子とを含む左右一対の半体部と、各半体部のコネクタ本体同士が突合されて該コネクタ本体の両端に形成される本体端部に取付けられ、前記半体部同士を結合する補強金具とを備え、前記コネクタ本体の各々は、その長手方向に延在し、前記端子を保持する凸部と、該凸部の長手方向両端に接続された延長端部と、該延長端部から相手方の半体部に向けて延出する端壁部とを含み、前記本体端部の各々は、互いに突合された左右の端壁部と該端壁部が延出する左右の延長端部とを含む。【選択図】図１
2020030934.tif 000002
【特許請求の範囲】
【請求項１】
（ａ）各々が、コネクタ本体と、該コネクタ本体に取付けられた複数の端子とを含む左右一対の半体部と、
（ｂ）各半体部のコネクタ本体同士が突合されて該コネクタ本体の両端に形成される本体端部に取付けられ、前記半体部同士を結合する補強金具とを備え、
（ｃ）前記コネクタ本体の各々は、その長手方向に延在し、前記端子を保持する凸部と、該凸部の長手方向両端に接続された延長端部と、該延長端部から相手方の半体部に向けて延出する端壁部とを含み、
（ｄ）前記本体端部の各々は、互いに突合された左右の端壁部と該端壁部が延出する左右の延長端部とを含むことを特徴とするコネクタ。
【請求項２】
前記補強金具は、前記コネクタ本体の幅方向に延在する上板と、該上板の両側縁に接続され、前記端壁部を挟持する一対の端壁挟持板と、前記上板の両端に接続され、前記延長端部を挟持する一対の延長端挟持板とを含む請求項１に記載のコネクタ。
【請求項３】
前記上板は、前記端壁部の上面に対向する端壁上面覆部と、該端壁上面覆部の両端に接続され、前記延長端部の上面に対向する突出端上面覆部とを含み、前記端壁挟持板は、前記端壁部の外側面及び内側面に対向する端壁外面覆部及び端壁内面覆部を含み、前記延長端挟持板は、前記突出端上面覆部の外側端に接続され、前記延長端部の外側面に対向する脚部を含む請求項２に記載のコネクタ。
【請求項４】
前記端壁部は、厚肉部と該厚肉部の下側に接続された薄肉部とを含み、前記延長端部は、厚肉部と該厚肉部の下側に接続された薄肉部とを含み、
前記本体端部に取付けられる前の補強金具において、前記端壁挟持板同士の最接近部の間隔は、前記端壁部の厚肉部に対応する箇所の外側面と内側面との間隔より狭く、前記延長端挟持板同士の最接近部の間隔は、前記延長端部の厚肉部に対応する箇所の外側面同士の間隔より狭い請求項２又は３に記載のコネクタ。
【請求項５】
前記端壁部の外側面は、厚肉部に対応する外側凸面と薄肉部に対応する外側凹面との間の段差を含み、前記端壁部の内側面は、厚肉部に対応する内側凸面と薄肉部に対応する内側凹面との間の段差を含み、前記延長端部の外側面は、厚肉部に対応する外側凸面と薄肉部に対応する外側凹面との間の段差を含む請求項４に記載のコネクタ。
【請求項６】
前記補強金具は、前記端壁外面覆部、端壁内面覆部及び脚部に形成されたロック用突起であって、前記段差に係合するロック用突起を含む請求項５に記載のコネクタ。
【請求項７】
前記端壁部の上面及び延長端部の上面は前記凸部の上面より凹入し、前記端壁部の外側面は前記延長端部の端面より凹入し、前記端壁部の内側面は端壁基部内側面より凹入し、前記延長端部の外側面は前記凸部の外側面より凹入し、前記上板は前記凸部の上面から突出せず、前記端壁挟持板は前記本体端部の露出側面から突出せず、前記延長端挟持板は前記凸部の外側面から突出しない請求項２〜６のいずれか１項に記載のコネクタ。
【請求項８】
請求項１〜７のいずれか１項に記載のコネクタと、該コネクタと嵌合する相手方コネクタとを有するコネクタ対。
【発明の詳細な説明】
【技術分野】
【０００１】
本開示は、コネクタに関するものである。
【背景技術】
【０００２】
従来、一対の平行な回路基板同士を電気的に接続するために、基板対基板コネクタ等のコネクタが使用されている。このようなコネクタは、一対の回路基板における相互に対向する面の各々に取付けられ、互いに嵌合して導通するようになっている（例えば、特許文献１参照。）。
【０００３】
図１６は従来のコネクタを示す斜視図である。
【０００４】
図において、８１１は、図示されない回路基板に実装されるコネクタのハウジングであり、長手方向に延在する一対の細長い凸部８１２を有する。該凸部８１２には、複数の端子８６１がコネクタの長手方向に並んで取付けられている。
【０００５】
そして、前記コネクタが図示されない相手方コネクタと嵌合すると、前記凸部８１２は、相手方コネクタの相手方ハウジングに形成された一対の凹溝の各々に挿入される。これにより、前記端子８６１は、前記凹溝内に並んで取付けられた図示されない相手方端子の各々と接触して導通する。
【先行技術文献】
【特許文献】
【０００６】
【特許文献１】特開２００１−１２６７８９号公報
【発明の概要】
【発明が解決しようとする課題】
【０００７】
しかしながら、前記従来のコネクタにおいては、端子８６１がハウジング８１１と一体化するように形成されているので、小型化した場合、凸部８１２同士の間隔が狭くなり、かつ、端子８６１のピッチが狭くなり、製造が困難になる。通常、前記端子８６１は、オーバーモールド乃至インサート成形と称される成形方法によってハウジング８１１の一対の凸部８１２と一体化されるので、凸部８１２同士の間隔が狭くなり、かつ、端子８６１のピッチが狭くなると、ハウジング８１１の成形用金型内の一対の凸部８１２に対応する位置に、多数の端子８６１を正確に並べて配置させることが困難になる。
【０００８】
ここでは、前記従来のコネクタの問題点を解決して、複数の端子が取付けられた凸部同士の間隔を狭くすることができ、製造が容易で、小型化が可能で、信頼性の高いコネクタを提供することを目的とする。
【課題を解決するための手段】
【０００９】
そのために、コネクタにおいては、各々が、コネクタ本体と、該コネクタ本体に取付けられた複数の端子とを含む左右一対の半体部と、各半体部のコネクタ本体同士が突合されて該コネクタ本体の両端に形成される本体端部に取付けられ、前記半体部同士を結合する補強金具とを備え、前記コネクタ本体の各々は、その長手方向に延在し、前記端子を保持する凸部と、該凸部の長手方向両端に接続された延長端部と、該延長端部から相手方の半体部に向けて延出する端壁部とを含み、前記本体端部の各々は、互いに突合された左右の端壁部と該端壁部が延出する左右の延長端部とを含む。
【００１０】
他のコネクタにおいては、さらに、前記補強金具は、前記コネクタ本体の幅方向に延在する上板と、該上板の両側縁に接続され、前記端壁部を挟持する一対の端壁挟持板と、前記上板の両端に接続され、前記延長端部を挟持する一対の延長端挟持板とを含む。
【００１１】
更に他のコネクタにおいては、さらに、前記上板は、前記端壁部の上面に対向する端壁上面覆部と、該端壁上面覆部の両端に接続され、前記延長端部の上面に対向する突出端上面覆部とを含み、前記端壁挟持板は、前記端壁部の外側面及び内側面に対向する端壁外面覆部及び端壁内面覆部を含み、前記延長端挟持板は、前記突出端上面覆部の外側端に接続され、前記延長端部の外側面に対向する脚部を含む。
【００１２】
更に他のコネクタにおいては、さらに、前記端壁部は、厚肉部と該厚肉部の下側に接続された薄肉部とを含み、前記延長端部は、厚肉部と該厚肉部の下側に接続された薄肉部とを含み、前記本体端部に取付けられる前の補強金具において、前記端壁挟持板同士の最接近部の間隔は、前記端壁部の厚肉部に対応する箇所の外側面と内側面との間隔より狭く、前記延長端挟持板同士の最接近部の間隔は、前記延長端部の厚肉部に対応する箇所の外側面同士の間隔より狭い。
【００１３】
更に他のコネクタにおいては、さらに、前記端壁部の外側面は、厚肉部に対応する外側凸面と薄肉部に対応する外側凹面との間の段差を含み、前記端壁部の内側面は、厚肉部に対応する内側凸面と薄肉部に対応する内側凹面との間の段差を含み、前記延長端部の外側面は、厚肉部に対応する外側凸面と薄肉部に対応する外側凹面との間の段差を含む。
【００１４】
更に他のコネクタにおいては、さらに、前記補強金具は、前記端壁外面覆部、端壁内面覆部及び脚部に形成されたロック用突起であって、前記段差に係合するロック用突起を含む。
【００１５】
更に他のコネクタにおいては、さらに、前記端壁部の上面及び延長端部の上面は前記凸部の上面より凹入し、前記端壁部の外側面は前記延長端部の端面より凹入し、前記端壁部の内側面は端壁基部内側面より凹入し、前記延長端部の外側面は前記凸部の外側面より凹入し、前記上板は前記凸部の上面から突出せず、前記端壁挟持板は前記本体端部の露出側面から突出せず、前記延長端挟持板は前記凸部の外側面から突出しない。
【００１６】
本発明のコネクタ対においては、前記コネクタと、該コネクタと嵌合する相手方コネクタとを有する。
【発明の効果】
【００１７】
本開示によれば、コネクタは、複数の端子が取付けられた凸部同士の間隔を狭くすることができ、製造が容易で、小型化が可能であり、信頼性を向上させることができる。
【図面の簡単な説明】
【００１８】
【図１】第１の実施の形態における第１コネクタの斜視図である。
【図２】第１の実施の形態における第１コネクタの三面図であって、（ａ）は上面図、（ｂ）は側面図、（ｃ）は下面図である。
【図３】第１の実施の形態における第１コネクタの第１の分解図である。
【図４】第１の実施の形態における第１コネクタの第２の分解図である。
【図５】第１の実施の形態における第１補強金具の第１の三面図であって、（ａ）は正面図、（ｂ）は背面図、（ｃ）は側面図である。
【図６】第１の実施の形態における第１補強金具の第２の三面図であって、（ａ）は上面図、（ｂ）は（ａ）におけるＡ−Ａ矢視断面図、（ｃ）は（ａ）におけるＢ−Ｂ矢視断面図である。
【図７】第１の実施の形態における互いに突合された一対の半体部の二面図であって、（ａ）は斜視図、（ｂ）は上面図である。
【図８】第１の実施の形態における互いに突合された一対の半体部の要部断面図であって、（ａ）は図７（ｂ）におけるＣ−Ｃ矢視断面図、（ｂ）は図７（ｂ）におけるＤ−Ｄ矢視断面図である。
【図９】第１の実施の形態における互いに突合された一対の半体部を第１補強金具で結合する直前の状態を示す斜視図である。
【図１０】第１の実施の形態における互いに突合された一対の半体部を第１補強金具で結合する直前の状態を示す要部断面図であって、（ａ）は図９におけるＥ−Ｅ矢視断面図、（ｂ）は図９におけるＦ−Ｆ矢視断面図である。
【図１１】第１の実施の形態における第２コネクタの斜視図である。
【図１２】第１の実施の形態における第２コネクタの分解図である。
【図１３】第２の実施の形態における第１補強金具の斜視図である。
【図１４】第２の実施の形態における第１補強金具の第１の三面図であって、（ａ）は正面図、（ｂ）は背面図、（ｃ）は側面図である。
【図１５】第２の実施の形態における第１補強金具の第２の三面図であって、（ａ）は上面図、（ｂ）は（ａ）におけるＧ−Ｇ矢視断面図、（ｃ）は（ａ）におけるＨ−Ｈ矢視断面図である。
【図１６】従来のコネクタを示す斜視図である。
【発明を実施するための形態】
【００１９】
以下、実施の形態について図面を参照しながら詳細に説明する。
【００２０】
図１は第１の実施の形態における第１コネクタの斜視図、図２は第１の実施の形態における第１コネクタの三面図、図３は第１の実施の形態における第１コネクタの第１の分解図、図４は第１の実施の形態における第１コネクタの第２の分解図、図５は第１の実施の形態における第１補強金具の第１の三面図、図６は第１の実施の形態における第１補強金具の第２の三面図である。なお、図２において、（ａ）は上面図、（ｂ）は側面図、（ｃ）は下面図であり、図５において、（ａ）は正面図、（ｂ）は背面図、（ｃ）は側面図であり、図６において、（ａ）は上面図、（ｂ）は（ａ）におけるＡ−Ａ矢視断面図、（ｃ）は（ａ）におけるＢ−Ｂ矢視断面図である。
【００２１】
図において、１は、本実施の形態におけるコネクタである一対の基板対基板コネクタの一方としての第１コネクタである。該第１コネクタ１は、実装部材としての図示されない基板である第１基板の表面に実装される表面実装型のコネクタであって、後述される相手方コネクタとしての第２コネクタ１０１と互いに嵌合される。また、該第２コネクタ１０１は一対の基板対基板コネクタの他方であり、実装部材としての図示されない基板である第２基板の表面に実装される表面実装型のコネクタである。
【００２２】
なお、本実施の形態における第１コネクタ１及び第２コネクタ１０１は、好適には、基板としての第１基板及び第２基板を電気的に接続するために使用するものであるが、他の部材を電気的に接続するためにも使用することができる。前記第１基板及び第２基板は、例えば、電子機器等に使用されるプリント回路基板、フレキシブルフラットケーブル（ＦＦＣ）、フレキシブル回路基板（ＦＰＣ）等であるが、いかなる種類の基板であってもよい。
【００２３】
また、本実施の形態において、第１コネクタ１及び第２コネクタ１０１の各部の構成及び動作を説明するために使用される上、下、左、右、前、後等の方向を示す表現は、絶対的なものでなく相対的なものであり、前記第１コネクタ１及び第２コネクタ１０１の各部が図に示される姿勢である場合に適切であるが、その姿勢が変化した場合には姿勢の変化に応じて変更して解釈されるべきものである。
【００２４】
そして、前記第１コネクタ１は、左右一対の半体部、すなわち、左半体部１０Ａと右半体部１０Ｂとを補強金具としての第１補強金具５１によって結合することにより、構成されている。なお、前記左半体部１０Ａ及び右半体部１０Ｂは、左右に向合うように配置された同一部材であるから、統合的に説明する場合には、半体部１０として説明する。前記左半体部１０Ａ及び右半体部１０Ｂは、それぞれ、平面視における形状（Ｘ−Ｙ面に投影された形状）が門型であり、結合された左半体部１０Ａと右半体部１０Ｂとの間の空間は、第１コネクタ１の長手方向（Ｘ軸方向）に延在する細長い凹溝部１３となっている。該凹溝部１３は、第１コネクタ１の上面及び下面において開放された貫通孔である。
【００２５】
前記半体部１０は、合成樹脂等の絶縁性材料によって一体的に形成され、平面視における形状が門型であるコネクタ本体としての第１ハウジング１１を有する。各第１ハウジング１１は、該第１ハウジング１１の長手方向（Ｘ軸方向）に延在する細長い帯状の底板部１７と、該底板部１７の上面に一体的に形成された第１ハウジング１１の長手方向に延在する細長い凸部としての第１凸部１２とを含んでいる。該第１凸部１２は、横断面の形状がＵ字を逆さまにしたような形状の部材であって、上側（Ｚ軸正方向側）に位置する湾曲した嵌合面１２ａと、該嵌合面１２ａの左右両側に接続された外側面１２ｂ及び内側面１２ｃとを有する。外側面１２ｂと内側面１２ｃとは互いに平行で対向する一対の平面であって、第１ハウジング１１の長手方向に延在する。なお、第１凸部１２の幅方向（Ｙ軸方向）の寸法が底板部１７の幅方向の寸法よりも短いので、第１凸部１２の下端（Ｚ軸負方向側端）において、底板部１７が外側面１２ｂ及び内側面１２ｃから幅方向外側に突出している。また、前記底板部１７の下面は、第１基板の表面に対向する第１ハウジング１１の実装面１７ａである。
【００２６】
そして、各第１凸部１２には、端子としての第１端子６１が配設されている。該第１端子６１は、所定のピッチで、かつ、複数個（図に示される例において、２６個）ずつ配設されている。前記第１端子６１は、導電性の金属板に打抜き、曲げ等の加工を施すことによって一体的に形成された部材であり、第１凸部１２の幅方向に延在する本体部６３と、該本体部６３の一端に接続されたテール部６２と、前記本体部６３の他端にほぼ９０度曲って接続された上下方向に延在する接触部６５と、該接触部６５の上端にほぼ９０度曲って接続された上端部６４とを有する。
【００２７】
前記本体部６３は、底板部１７に埋込まれて保持される部分である。また、前記テール部６２は、底板部１７から幅方向外側に延出し、第１基板の導電トレースに連結された接続パッドにはんだ付等によって接続される。なお、前記導電トレースは、典型的には、信号ラインである。さらに、前記接触部６５は、第１コネクタ１と第２コネクタ１０１とが嵌合すると、該第２コネクタ１０１が備える後述される第２端子１６１と接触する部分であり、望ましくは、表面から陥没する接触凹部６５ａを含んでいる。
【００２８】
前記第１端子６１は、オーバーモールド乃至インサート成形と称される成形方法によって第１ハウジング１１と一体化される。すなわち、第１ハウジング１１は、第１端子６１をあらかじめ内部にセットした金型のキャビティ内に絶縁性材料を充填することによって成形される。これにより、第１端子６１は、本体部６３及びテール部６２の下面が底板部１７の実装面１７ａに露出し、接触部６５及び上端部６４の表面が第１凸部１２の外側面１２ｂ又は内側面１２ｃ及び嵌合面１２ａに露出した状態で、第１ハウジング１１に一体的に取付けられる。
【００２９】
また、各第１凸部１２に取付けられる第１端子６１は、隣接するもの同士の姿勢が、第１凸部１２の幅方向に関して反対向きとなるように、方向付けられている。図４に示される例において、左半体部１０Ａの第１凸部１２に取付けられる第１端子６１のうち前端（Ｘ軸正方向端）に位置する第１端子６１の姿勢は、テール部６２が外側（Ｙ軸正方向側）に向けて突出するように方向付けられているのに対して、前端から２番目に位置する第１端子６１の姿勢は、テール部６２が内側（Ｙ軸負方向側）に向けて突出するように方向付けられている。このように、第１端子６１は、交互に反対向きとなるように並べて第１凸部１２に取付けられているので、該第１凸部１２の両側の各々において突出するテール部６２のピッチは、第１端子６１のピッチの２倍となる。したがって、第１基板の接続パッドへのはんだ付等による接続作業を容易に行うことができる。また、第１凸部１２の外側面１２ｂに露出する接触部６５のピッチ、及び、内側面１２ｃに露出する接触部６５のピッチも、第１端子６１のピッチの２倍となる。
【００３０】
なお、前記第１端子６１は、オーバーモールド乃至インサート成形と称される成形方法によって第１ハウジング１１と一体化される部材であるから、第１ハウジング１１から離間して存在するものではないが、説明の都合上、図４においては、第１ハウジング１１から離間しているように描画されていることに留意されたい。
【００３１】
そして、前記第１凸部１２の長手方向両端には嵌合ガイド部として機能する本体端部である第１突出端部１８が各々配設されている。該第１突出端部１８は、各第１凸部１２の長手方向両端に接続された部材であり、左半体部１０Ａと右半体部１０Ｂとが突合された状態、すなわち、左右の第１ハウジング１１同士が突合された状態において形成される。そして、前記第１突出端部１８は、第１コネクタ１及び第２コネクタ１０１が嵌合された状態において、前記第１コネクタ１０１が備える後述される第２突出端部１２１の嵌合凹部１２２に挿入される挿入凸部として機能する。また、前記第１突出端部１８には、第１補強金具５１が取付けられる。
【００３２】
また、前記第１突出端部１８は、左右の半体部１０の延長端部１４及び端壁部１５によって構成される。各半体部１０の第１凸部１２の長手方向両端には長手方向に延出する延長端部１４がそれぞれ一体的に接続され、各延長端部１４には、第１凸部１２の幅方向に延出する端壁部１５がそれぞれ一体的に接続されている。なお、左半体部１０Ａにおける端壁部１５は、右方向（Ｙ軸負方向）に向けて延出し、右半体部１０Ｂにおける端壁部１５は、左方向（Ｙ軸正方向）に向けて延出している。左右に向合うように配置された各半体部１０において、前記端壁部１５は相手方の半体部１０に向けて延出している。そして、前記端壁部１５における相手方の半体部１０に対向する端面は、結合面１５ｄとして機能する。
【００３３】
各延長端部１４は、幅の広い、すなわち、肉が厚い（Ｙ軸方向の寸法が大きい）厚肉部１４ｅと、該厚肉部１４ｅの下側（Ｚ軸負方向側）に接続された、より肉が薄い（Ｙ軸方向の寸法が小さい）薄肉部１４ｆとを含んでいる。そして、延長端部１４の外側面１４ｂは、厚肉部１４ｅに対応する外側凸面１４ｂ１と、薄肉部１４ｆに対応する外側凹面１４ｂ２とを含んでいる。該外側凹面１４ｂ２は、外側凸面１４ｂ１よりも第１ハウジング１１の幅方向（Ｙ軸方向）内側に位置するように凹入している。延長端部１４の外側面１４ｂ全体が、第１凸部１２の外側面１２ｂよりも第１ハウジング１１の幅方向内側に位置するように凹入しているので、外側凸面１４ｂ１も、第１凸部１２の外側面１２ｂより第１ハウジング１１の幅方向内側に位置するように凹入している。
【００３４】
また、各端壁部１５は、幅の広い、すなわち、肉が厚い（Ｘ軸方向の寸法が大きい）厚肉部１５ｅと、該厚肉部１５ｅの下側に接続された、より肉が薄い（Ｘ軸方向の寸法が小さい）薄肉部１５ｆとを含んでいる。そして、端壁部１５の外側面１５ｂは、厚肉部１５ｅに対応する外側凸面１５ｂ１と、薄肉部１５ｆに対応する外側凹面１５ｂ２とを含んでいる。該外側凹面１５ｂ２は、外側凸面１５ｂ１よりも第１ハウジング１１の長手方向（Ｘ軸方向）内側に位置するように凹入している。端壁部１５の外側面１５ｂ全体が、延長端部１４の端面１４ｄよりも第１ハウジング１１の長手方向内側に位置するように凹入しているので、外側凸面１５ｂ１も、延長端部１４の端面１４ｄより第１ハウジング１１の長手方向内側に位置するように凹入している。
【００３５】
さらに、各端壁部１５は、延長端部１４との接続部近傍に第１ハウジング１１の長手方向内側に向けて突出する内側端部１５ｇを含んでいる。該内側端部１５ｇの内側面である端壁基部内側面１５ｈは、凹溝部１３に露出する面であり、上下方向（Ｚ軸方向）に延在する平坦面である。そして、端壁部１５の内側面１５ｃは、厚肉部１５ｅに対応する内側凸面１５ｃ１と、薄肉部１５ｆに対応する内側凹面１５ｃ２とを含んでいる。該内側凹面１５ｃ２は、内側凸面１５ｃ１よりも第１ハウジング１１の長手方向外側に位置するように凹入している。端壁部１５の内側面１５ｃ全体が、端壁基部内側面１５ｈよりも第１ハウジング１１の長手方向外側に位置するように凹入しているので、内側凸面１５ｃ１も、端壁基部内側面１５ｈより第１ハウジング１１の長手方向外側に位置するように凹入している。
【００３６】
なお、延長端部１４の端面１４ｄ及び内側端部１５ｇの内側面である端壁基部内側面１５ｈは、第１突出端部１８の側面において第１補強金具５１に覆われずに露出する露出側面に含まれる。また、延長端部１４の上面１４ａ及び端壁部１５の上面１５ａは、面一の平坦面であるが、第１凸部１２の上面である嵌合面１２ａより下側（Ｚ軸負方向側）に位置するように凹入している。
【００３７】
そして、左半体部１０Ａと右半体部１０Ｂとが突合された後、すなわち、結合面１５ｄ同士が互いに当接するように、左半体部１０Ａの端壁部１５と右半体部１０Ｂの端壁部１５とが突合された後、両側の延長端部１４及び端壁部１５の少なくとも一部を覆い、それらを固定するように第１補強金具５１が取付られ、左半体部１０Ａと右半体部１０Ｂとが結合される。
【００３８】
前記第１補強金具５１は、金属板に打抜き、曲げ等の加工を施すことによって一体的に形成された部材であり、第１ハウジング１１の幅方向に延在する上板と、該上板の両側縁に接続され、端壁部１５を挟持する一対の端壁挟持板と、前記上板の両端に接続され、延長端部１４を挟持する一対の延長端挟持板とを含んでいる。具体的には、前記上板は、端壁部１５の上面１５ａを覆う端壁上面覆部５７と、該端壁上面覆部５７の左右両端に接続され、延長端部１４の上面１４ａを覆う延長端上面覆部５４とを含んでいる。また、前記端壁挟持板は、前記端壁上面覆部５７の外側縁及び内側縁に接続された端壁外面覆部５２及び端壁内面覆部５３を含んでいる。さらに、前記延長端挟持板は、延長端上面覆部５４の外側端に接続された脚部５５を含んでいる。なお、各脚部５５の下端には、テール部５６が接続されている。
【００３９】
前記端壁上面覆部５７は、全体的に第１コネクタ１の幅方向に延在する帯状の部材であって、結合面１５ｄが互いに当接した左右の端壁部１５の上面１５ａの大部分を覆うようになっている。
【００４０】
そして、前記端壁外面覆部５２は、全体的に第１コネクタ１の幅方向及び上下方向に延在する板部材であり、上端に形成された上側曲部５２ａによって端壁上面覆部５７の外側縁に接続されている。また、下端近傍には下側曲部５２ｂが形成されている。図５（ｃ）及び６（ｃ）に示されるように、第１コネクタ１の幅方向（Ｙ軸方向）から観て、端壁外面覆部５２は概略Ｓ字形状を有し、上側曲部５２ａと下側曲部５２ｂとは互いに反対方向に湾曲している。また、端壁外面覆部５２は、全体的に下に行くほど、第１コネクタ１の長手方向内側に進むように形成され、上側曲部５２ａよりも下側曲部５２ｂが第１コネクタ１の長手方向内側に位置する。なお、端壁外面覆部５２の下端は、第１コネクタ１の長手方向外側を向くように、すなわち、端壁部１５の外側面１５ｂから離間するように傾斜している。また、端壁外面覆部５２の下端は、テール部５６の下面より上側（Ｚ軸正方向側）に位置し、第１基板の表面に当接しないようになっている。なお、必要に応じて、端壁外面覆部５２の下端が第１基板の表面に接近又は当接するようにすることもできる。この場合、端壁外面覆部５２の下端を第１基板の接続パッドへはんだ付等による接続することにより、第１補強金具５１の第１基板への接続強度が向上する。
【００４１】
また、前記端壁内面覆部５３は、全体的に第１コネクタ１の幅方向及び上下方向に延在する板部材であり、上端に形成された上側曲部５３ａによって端壁上面覆部５７の内側縁に接続されている。また、下端近傍には下側曲部５３ｂが形成されている。図６（ｃ）に示されるように、第１コネクタ１の幅方向（Ｙ軸方向）から観て、端壁内面覆部５３は概略Ｓ字形状を有し、上側曲部５３ａと下側曲部５３ｂとは互いに反対方向に湾曲している。また、端壁内面覆部５３は、全体的に下に行くほど、第１コネクタ１の長手方向外側に進むように形成され、上側曲部５２ａよりも下側曲部５３ｂが第１コネクタ１の長手方向外側に位置する。なお、端壁内面覆部５３の下端は、第１コネクタ１の長手方向内側を向くように、すなわち、端壁部１５の内側面１５ｃから離間するように傾斜している。また、端壁内面覆部５３の下端は、テール部５６の下面より上側に位置し、第１基板の表面に当接しないようになっている。なお、必要に応じて、端壁内面覆部５３の下端が第１基板の表面に接近又は当接するようにすることもできる。この場合、端壁内面覆部５３の下端を第１基板の接続パッドへはんだ付等による接続することにより、第１補強金具５１の第１基板への接続強度が向上する。
【００４２】
図６（ｃ）に示されるように、第１突出端部１８に取付けられる前の第１補強金具５１において、端壁外面覆部５２と端壁内面覆部５３との間隔は、端壁外面覆部５２の下側曲部５２ｂ及び端壁内面覆部５３の下側曲部５３ｂにおいて最も狭くなっている。具体的には、端壁外面覆部５２の上側曲部５２ａにおける内面と端壁内面覆部５３の上側曲部５３ａにおける内面との間隔をＬ３とし、端壁外面覆部５２の下側曲部５２ｂにおける内面と端壁内面覆部５３の下側曲部５３ｂにおける内面との間隔をＬ４とすると、Ｌ３≧Ｌ４（好ましくはＬ３＞Ｌ４）となっている。また、端壁部１５の厚肉部１５ｅ及び薄肉部１５ｆの肉厚（Ｘ軸方向の寸法）をそれぞれｌ３及びｌ４とすると、Ｌ３≧ｌ３（好ましくはＬ３＞ｌ３）となっている。そして、第１突出端部１８への第１補強金具５１の取付け前にはＬ４＜ｌ３であり、取付け後にはＬ４＞ｌ４である。
【００４３】
この関係により、第１突出端部１８へ第１補強金具５１の取付けたとき、端壁外面覆部５２の内面５２ｃと端壁内面覆部５３の内面５３ｃとが突合された端壁部１５の厚肉部１５ｅを確実に挟込む。特に、Ｌ３＞ｌ３であるときには、端壁外面覆部５２の内面５２ｃと端壁内面覆部５３の内面５３ｃが厚肉部１５ｅの下縁である外側凸面下縁１５ｂ３と内側凸面下縁１５ｃ３とを挟んで押圧する。これにより、第１補強金具５１が第１突出端部１８から外れることが防止される。
【００４４】
さらに、前記延長端上面覆部５４は、左右の延長端部１４の上面１４ａの大部分を覆うようになっている。
【００４５】
そして、前記脚部５５は、第１コネクタ１の上下方向に延在する帯状の部材であり、上端に形成された上側曲部５５ａによって延長端上面覆部５４の外側端に接続されている。また、下端には下側曲部５５ｂが形成されている。図５（ａ）及び（ｂ）等に示されるように、第１コネクタ１の長手方向（Ｘ軸方向）から観て、脚部５５は概略Ｓ字形状を有し、上側曲部５５ａと下側曲部５５ｂとは互いに反対方向に湾曲している。また、脚部５５は、全体的に下に行くほど、第１コネクタ１の幅方向内側に進むように傾斜し、下側曲部５５ｂが最も第１コネクタ１の幅方向内側に位置する。
【００４６】
図６（ｂ）に示されるように、第１突出端部１８に取付けられる前の第１補強金具５１において、左右の脚部５５の間隔は下側曲部５５ｂにおいて最も狭くなっている。具体的には、左右の上側曲部５５ａにおける内面同士の間隔をＬ１とし、左右の下側曲部５５ｂにおける内面同士の間隔をＬ２とすると、Ｌ１≧Ｌ２（好ましくはＬ１＞Ｌ２）となっている。また、第１突出端部１８における左右の延長端部１４の外側凸面１４ｂ１同士及び外側凹面１４ｂ２同士の間隔をそれぞれｌ１及びｌ２とすると、Ｌ１≧ｌ１（好ましくはＬ１＞ｌ１）となっている。そして、第１突出端部１８への第１補強金具５１の取付け前にはＬ２＜ｌ１であり、取付け後にはＬ２＞ｌ２である。
【００４７】
この関係により、第１突出端部１８へ第１補強金具５１の取付けたとき、左右の脚部５５の内面５５ｃ同士が延長端部１４の圧肉部１４ｅを確実に挟込む。特に、Ｌ１＞ｌ１であるときには、脚部５５の内面５５ｃが厚肉部１４ｅの下縁である外側凸面下縁１４ｂ３を挟んで押圧する。これにより、第１補強金具５１が第１突出端部１８から外れることが防止される。
【００４８】
前記テール部５６は、前記脚部５５の下側曲部５５ｂの先端に接続され、第１コネクタ１の幅方向外側に延出する。具体的には、前記テール部５６は、延長端部１４の外側面１４ｂから幅方向外側に延出し、第１基板の表面に露出する図示されない接続パッドにはんだ付等によって接続固定される。なお、該接続パッドは、例えば、電力ラインである導電トレースに連結可能である。
【００４９】
次に、左半体部１０Ａと右半体部１０Ｂとを第１補強金具５１によって結合することにより第１コネクタ１を構成する方法について説明する。
【００５０】
図７は第１の実施の形態における互いに突合された一対の半体部の二面図、図８は第１の実施の形態における互いに突合された一対の半体部の要部断面図、図９は第１の実施の形態における互いに突合された一対の半体部を第１補強金具で結合する直前の状態を示す斜視図、図１０は第１の実施の形態における互いに突合された一対の半体部を第１補強金具で結合する直前の状態を示す要部断面図である。なお、図７において、（ａ）は斜視図、（ｂ）は上面図であり、図８において、（ａ）は図７（ｂ）におけるＣ−Ｃ矢視断面図、（ｂ）は図７（ｂ）におけるＤ−Ｄ矢視断面図であり、図１０において、（ａ）は図９におけるＥ−Ｅ矢視断面図、（ｂ）は図９におけるＦ−Ｆ矢視断面図である。
【００５１】
第１コネクタ１を構成するときには、まず、オペレータは、図７に示されるように、左半体部１０Ａと右半体部１０Ｂとを突合せる。すなわち、左半体部１０Ａの端壁部１５と右半体部１０Ｂの端壁部１５とを突合せて、左半体部１０Ａの端壁部１５の先端における結合面１５ｄと、右半体部１０Ａの端壁部１５の先端における結合面１５ｄとを当接させる。これにより、第１突出端部１８が構成される。
【００５２】
続いて、オペレータは、図９に示されるように、構成された第１突出端部１８の上方に第１補強金具５１を位置させ、該第１補強金具５１を相対的に第１突出端部１８に対して下降させ、両側の延長端部１４及び端壁部１５の少なくとも一部を覆うように第１補強金具５１を取付ける。この場合、端壁上面覆部５７が、結合面１５ｄが互いに当接した左右の端壁部１５の上面１５ａに対向し、延長端上面覆部５４が左右の延長端部１４の上面１４ａに対向し、端壁外面覆部５２が前記端壁部１５の外側面１５ｂに対向し、端壁内面覆部５３が前記端壁部１５の内側面１５ｃに対向し、脚部５５が前記延長端部１４の外側面１４ｂに対向するように、第１補強金具５１の姿勢を制御する。
【００５３】
前述のように、第１突出端部１８に取付けられる前の第１補強金具５１において、端壁外面覆部５２と端壁内面覆部５３との間隔は、端壁外面覆部５２の下側曲部５２ｂ及び端壁内面覆部５３の下側曲部５３ｂにおいて最も狭くなっている。具体的には、端壁外面覆部５２の上側曲部５２ａにおける内面と端壁内面覆部５３の上側曲部５３ａにおける内面との間隔をＬ３とし、端壁外面覆部５２の下側曲部５２ｂにおける内面と端壁内面覆部５３の下側曲部５３ｂにおける内面との間隔をＬ４とすると、Ｌ３≧Ｌ４（好ましくはＬ３＞Ｌ４）となっている。また、端壁部１５の厚肉部１５ｅ及び薄肉部１５ｆの肉厚（Ｘ軸方向の寸法）をそれぞれｌ３及びｌ４とすると、Ｌ３≧ｌ３（好ましくはＬ３＞ｌ３）となっている。そして、第１突出端部１８への第１補強金具５１の取付け前にはＬ４＜ｌ３であり、取付け後にはＬ４＞ｌ４である。
【００５４】
さらに、左右の脚部５５の間隔は下側曲部５５ｂにおいて最も狭くなっている。具体的には、左右の上側曲部５５ａにおける内面同士の間隔をＬ１とし、左右の下側曲部５５ｂにおける内面同士の間隔をＬ２とすると、Ｌ１≧Ｌ２（好ましくはＬ１＞Ｌ２）となっている。また、第１突出端部１８における左右の延長端部１４の外側凸面１４ｂ１同士及び外側凹面１４ｂ２同士の間隔をそれぞれｌ１及びｌ２とすると、Ｌ１≧ｌ１（好ましくはＬ１＞ｌ１）となっている。そして、第１突出端部１８への第１補強金具５１の取付け前にはＬ２＜ｌ１であり、取付け後にはＬ２＞ｌ２である。
【００５５】
したがって、第１補強金具５１を相対的に第１突出端部１８に対して下降させて取付けるとき、端壁外面覆部５２と端壁内面覆部５３との間隔は端壁部１５によって押広げられ、端壁外面覆部５２と端壁内面覆部５３とは弾性的に変形する。また、左右の脚部５５の間隔は、延長端部１４によって押広げられ、左右の脚部５５は弾性的に変形する。
【００５６】
そして、図１及び２に示されるように、第１突出端部１８への第１補強金具５１の取付けが完了し、左半体部１０Ａと右半体部１０Ｂとが第１補強金具５１によって結合されると、端壁外面覆部５２及び端壁内面覆部５３が発揮するばね性によって、端壁部１５は前後から締付けられ、また、左右の脚部５５が発揮するばね性によって、延長端部１４は左右から締付けられる。したがって、前記端壁部１５は、第１補強金具５１によって前後左右から締付けられた状態となり、互いに当接した結合面１５ｄ同士が密着して、一体的になる。これにより、左半体部１０Ａと右半体部１０Ｂとが第１補強金具５１によって結合され、第１コネクタ１が構成される。
【００５７】
また、外側凸面１５ｂ１と内側凸面１５ｃ１との間隔よりも互いの間隔が狭い端壁外面覆部５２の下側曲部５２ｂと端壁内面覆部５３の下側曲部５３ｂが、外側凸面１５ｂ１及び内側凸面１５ｃ１の下方に位置するので、第１補強金具５１を相対的に端壁部１５に対して上昇させて取外す際に、外側凸面１５ｂ１と外側凹面１５ｂ２との間の段差及び内側凸面１５ｃ１と内側凹面１５ｃ２との間の段差に端壁外面覆部５２の下側曲部５２ｂ及び端壁内面覆部５３の下側曲部５３ｂが引掛り、取外しが困難になる。すなわち、第１補強金具５１の抜けを防止する機能が発揮される。
【００５８】
同様に、左右の外側凸面１４ｂ１同士の間隔よりも互いの間隔が狭い左右の脚部５５の下側曲部５５ｂが前記外側凸面１４ｂ１の下方に位置するので、第１補強金具５１を相対的に端壁部１５に対して上昇させて取外す際に、外側凸面１４ｂ１と外側凹面１４ｂ２との間の段差に脚部５５の下側曲部５５ｂが引掛り、取外しが困難になる。すなわち、第１補強金具５１の抜けを防止する機能が発揮される。
【００５９】
また、端壁外面覆部５２における上側曲部５２ａの近傍部分と端壁内面覆部５３における上側曲部５３ａの近傍部分との間隔が、外側凸面１５ｂ１と内側凸面１５ｃ１との間隔よりも狭くなっていると、端壁部１５の厚肉部１５ｅが端壁外面覆部５２及び端壁内面覆部５３によって両側から挟持されるので、左半体部１０Ａの端壁部１５と右半体部１０Ｂの端壁部１５とは、強固に結合される。
【００６０】
同様に、左右の脚部５５における上側曲部５５ａの近傍部分同士の間隔が、左右の延長端部１４の外側凸面１４ｂ１同士の間隔よりも狭くなっていると、延長端部１４の厚肉部１４ｅが脚部５５によって両側から挟持されるので、左半体部１０Ａの端壁部１５と右半体部１０Ｂの端壁部１５とは、強固に結合される。
【００６１】
さらに、端壁外面覆部５２の下側曲部５２ｂと端壁内面覆部５３の下側曲部５３ｂとの間隔が、外側凹面１５ｂ２と内側凹面１５ｃ２との間隔よりも狭くなっていると、端壁部１５の薄肉部１５ｆが端壁外面覆部５２の下側曲部５２ｂ及び端壁内面覆部５３の下側曲部５３ｂによって両側から挟持されるので、左半体部１０Ａの端壁部１５と右半体部１０Ｂの端壁部１５とは、より強固に結合される。
【００６２】
同様に、左右の脚部５５の下側曲部５５ｂ同士の間隔が、左右の延長端部１４の外側凹面１４ｂ２同士の間隔よりも狭くなっていると、延長端部１４の薄肉部１４ｆが脚部５５の下側曲部５５ｂによって両側から挟持されるので、左半体部１０Ａの端壁部１５と右半体部１０Ｂの端壁部１５とは、より強固に結合される。
【００６３】
また、第１突出端部１８への第１補強金具５１の取付けが完了した状態においては、延長端部１４の上面１４ａ及び端壁部１５の上面１５ａが、第１凸部１２の上面である嵌合面１２ａより下側に位置するように凹入しているので、端壁上面覆部５７及び延長端上面覆部５４の上面は、前記嵌合面１２ａと面一又は該嵌合面１２ａより下側に凹入している。すなわち、端壁上面覆部５７及び延長端上面覆部５４の上面は、前記嵌合面１２ａから突出していない。
【００６４】
さらに、延長端部１４の外側面１４ｂ全体が、第１凸部１２の外側面１２ｂよりも第１コネクタ１の幅方向内側に位置するように凹入しているので、脚部５５の外面は、前記外側面１２ｂと面一又は該外側面１２ｂより第１コネクタ１の幅方向内側に凹入している。すなわち、脚部５５の外面は、前記外側面１２ｂから突出していない。
【００６５】
さらに、端壁部１５の外側面１５ｂ全体が、延長端部１４の端面１４ｄよりも第１コネクタ１の長手方向内側に位置するように凹入しているので、端壁外面覆部５２の外面は、前記端面１４ｄと面一又は該端面１４ｄより第１コネクタ１の長手方向内側に凹入している。すなわち、端壁外面覆部５２の外面は、前記端面１４ｄから突出していない。
【００６６】
さらに、端壁部１５の内側面１５ｃ全体が、端壁基部内側面１５ｈよりも第１コネクタ１の長手方向外側に位置するように凹入しているので、端壁内面覆部５３の外面は、前記端壁基部内側面１５ｈと面一又は該端壁基部内側面１５ｈより第１コネクタ１の長手方向外側に凹入している。すなわち、端壁内面覆部５３の外面は、前記端壁基部内側面１５ｈから突出していない。
【００６７】
なお、脚部５５の下側曲部５５ｂの先端に接続されたテール部５６は、その先端が、第１凸部１２の外側面１２ｂよりも第１コネクタ１の幅方向外側に突出している。また、前記テール部５６の下面は、第１凸部１２に取付られた第１端子６１のテール部６２の下面及び第１ハウジング１１の実装面１７ａとほぼ面一となっている。
【００６８】
また、端壁外面覆部５２の下端及び端壁内面覆部５３の下端は、テール部５６の下面よりも上方に位置するので、第１ハウジング１１の実装面１７ａより上方に位置する。したがって、端壁外面覆部５２の下端及び端壁内面覆部５３の下端は、第１基板の表面に接触することがない。
【００６９】
次に、第２コネクタ１０１の構成について説明する。
【００７０】
図１１は第１の実施の形態における第２コネクタの斜視図、図１２は第１の実施の形態における第２コネクタの分解図である。
【００７１】
本実施の形態における相手方コネクタとしての第２コネクタ１０１は、合成樹脂等の絶縁性材料によって一体的に形成された相手方コネクタ本体としての第２ハウジング１１１を有する。該第２ハウジング１１１は、図に示されるように、概略直方体である概略長方形の厚板状の形状を備える。そして、第２ハウジング１１１の第１コネクタ１が嵌入される側、すなわち、嵌合面１１１ａ側（Ｚ軸正方向側）には、周囲が囲まれた概略長方形の凹部１１２であって、第１ハウジング１１と嵌合する凹部１１２が形成されている。そして、該凹部１１２内には凹溝部１３と嵌合する島部としての第２凸部１１３が第２ハウジング１１１と一体的に形成され、また、前記第２凸部１１３の両側には該第２凸部１１３と平行に延在する側壁部１１４が第２ハウジング１１１と一体的に形成されている。
【００７２】
前記第２凸部１１３及び側壁部１１４は、凹部１１２の底面から上方（Ｚ軸正方向）に向けて突出し、第２コネクタ１０１の長手方向に延在する。これにより、前記第２凸部１１３の両側には、凹部１１２の一部として、第２コネクタ１０１の長手方向（Ｘ軸方向）に延在する細長い凹部である凹溝部１１２ａが形成される。
【００７３】
前記第２凸部１１３の両側の側面、及び、側壁部１１４の内側の側面には凹溝状の第２端子収容溝キャビティ１１５ａが形成されている。また、前記第２凸部１１３及び側壁部１１４には孔状の第２端子収容孔キャビティ１１５ｂが形成されている。そして、前記第２端子収容溝キャビティ１１５ａと第２端子収容孔キャビティ１１５ｂとは、凹溝部１１２ａの底面において連結され互いに一体化しているので、第２端子収容溝キャビティ１１５ａと第２端子収容孔キャビティ１１５ｂとを統合的に説明する場合には、第２端子収容キャビティ１１５として説明する。該第２端子収容キャビティ１１５は、第１端子６１に対応するピッチで、かつ、対応する数だけ配設されている。
【００７４】
前記第２端子１６１は、導電性の金属板に打抜き等の加工を施すことによって一体的に形成された部材であり、本体部１６３と、該本体部１６３の下端に接続されたテール部１６２と、前記本体部１６３の下端近傍から第２コネクタ１０１の幅方向（Ｙ軸方向）に延在する接続部１６４と、該接続部１６４から上方（Ｚ軸正方向）に向けて延出する接触部１６５とを備える。なお、該接触部１６５の先端近傍には、本体部１６３に向けて突出する接触凸部１６５ａが形成されていることが望ましい。
【００７５】
前記本体部１６３は、第２端子収容孔キャビティ１１５ｂに圧入されて保持される部分である。また、前記テール部１６２は、本体部１６３の下端に曲げて接続され、第２ハウジング１１１の幅方向に延在し、第２基板の導電トレースに連結された接続パッドにはんだ付等によって接続される。なお、前記導電トレースは、典型的には、信号ラインである。さらに、前記接触部１６５は、第１コネクタ１と第２コネクタ１０１とが嵌合すると、前記第１コネクタ１が備える第１端子６１と接触する部分であり、望ましくは、接触凸部１６５ａが第１端子６１の接触部６５に形成された接触凹部６５ａと係合する。
【００７６】
前記第２端子１６１は、第２ハウジング１１１の下方から、第２端子収容キャビティ１１５に挿入されて第２ハウジング１１１に取付られる。これにより、第２端子１６１は、本体部１６３が第２端子収容孔キャビティ１１５ｂに圧入されて保持され、接触部１６５は第２端子収容溝キャビティ１１５ａ内に収容されて凹溝部１１２ａに露出し、テール部１６２の下面は、第２ハウジング１１１の下面としての実装面１１１ｂに露出する。
【００７７】
また、各凹溝部１１２ａに取付けられる第２端子１６１は、第１端子６１と同様に、隣接するもの同士の姿勢が、凹溝部１１２ａの幅方向に関して反対向きとなるように、方向付けられている。図１２に示される例において、Ｙ軸正方向側の凹溝部１１２ａに取付けられる第２端子１６１のうち前端（Ｘ軸正方向端）に位置する第２端子１６１の姿勢は、テール部１６２がＹ軸負方向に向けて突出するように方向付けられているのに対して、前端から２番目に位置する第２端子１６１の姿勢は、テール部６２がＹ軸正方向に向けて突出するように方向付けられている。このように、第２端子１６１は、交互に反対向きとなるように並べて凹溝部１１２ａに取付けられているので、該凹溝部１１２ａの両側において実装面１１１ｂに露出するテール部１６２のピッチは、第２端子１６１のピッチの２倍となる。したがって、第２基板の接続パッドへのはんだ付等による接続作業を容易に行うことができる。また、凹溝部１１２ａに露出する接触部１６５のピッチも、第２端子１６１のピッチの２倍となる。
【００７８】
また、前記第２ハウジング１１１の長手方向両端には嵌合ガイド部としての第２突出端部１２１が各々配設されている。各第２突出端部１２１には、前記凹部１１２の一部として嵌合凹部１２２が形成されている。該嵌合凹部１２２は、略長方形の凹部であり、各凹溝部１１２ａの長手方向両端に接続されている。そして、前記嵌合凹部１２２内には、第１コネクタ１及び第２コネクタ１０１が嵌合された状態において、第１コネクタ１が備える第１突出端部１８が挿入される。また、第２突出端部１２１は、補強金具収容凹部１２６を備える。そして、相手方補強金具としての第２補強金具１５１は、前記補強金具収容凹部１２６に収容されて第２突出端部１２１に取付けられる。
【００７９】
前記第２補強金具１５１は、金属板に打抜き、曲げ等の加工を施すことによって一体的に形成された部材であり、第２ハウジング１１１の幅方向に延在する第２本体部１５２と、該第２本体部１５２の上端に接続された中央覆部１５７と、前記第２本体部１５２の左右両端に接続された側方覆部１５３と、該側方覆部１５３の一側縁に接続された接触側板部１５４と、前記第２本体部１５２の下端に接続されたテール部１５６とを備える。該テール部１５６は、第２コネクタ１０１の長手方向外側を向いて延出し、第２基板の表面に露出する図示されない接続パッドにはんだ付等によって接続固定される。なお、該接続パッドは、例えば、電力ラインである導電トレースに連結されていることが望ましい。
【００８０】
次に、前記構成の第１コネクタ１と第２コネクタ１０１とを嵌合させる動作について説明する。
【００８１】
ここで、第１コネクタ１は、第１端子６１のテール部６２が図示されない第１基板の導電トレースに連結された接続パッドにはんだ付等によって接続されるとともに、第１補強金具５１のテール部５６が第１基板の導電トレースに連結された接続パッドにはんだ付等によって接続されることにより、第１基板に表面実装されているものとする。なお、前記第１端子６１のテール部６２が接続される接続パッドに連結された導電トレースは、信号ラインであり、前記第１補強金具５１のテール部５６が接続される接続パッドに連結された導電トレースは電力ラインであるものとする。
【００８２】
同様に、第２コネクタ１０１は、第２端子１６１のテール部１６２が図示されない第２基板の導電トレースに連結された接続パッドにはんだ付等によって接続されるとともに、第２補強金具１５１のテール部１５６が第２基板の導電トレースに連結された接続パッドにはんだ付等によって接続されることにより、第２基板に表面実装されているものとする。なお、前記第２端子１６１のテール部１６２が接続される接続パッドに連結された導電トレースは、信号ラインであり、前記第２補強金具１５１のテール部１５６が接続される接続パッドに連結された導電トレースは、電力ラインであるものとする。
【００８３】
まず、オペレータは、第１コネクタ１の第１ハウジング１１の嵌合面としての第１凸部１２の嵌合面１２ａと第２コネクタ１０１の第２ハウジング１１１の嵌合面１１１ａとを対向させた状態とし、第１コネクタ１の第１凸部１２の位置が第２コネクタ１０１の対応する凹溝部１１２ａの位置と合致し、第１コネクタ１の第１突出端部１８の位置が第２コネクタ１０１の対応する嵌合凹部１２２の位置と合致すると、第１コネクタ１と第２コネクタ１０１との位置合せが完了する。
【００８４】
この状態で、第１コネクタ１及び／又は第２コネクタ１０１を相手側に接近する方向、すなわち、嵌合方向に移動させると、第１コネクタ１の第１凸部１２及び第１突出端部１８が第２コネクタ１０１の凹溝部１１２ａ及び嵌合凹部１２２内に挿入される。これにより、第１コネクタ１と第２コネクタ１０１との嵌合が完了する。そして、第１端子６１と第２端子１６１とが導通した状態となる。
【００８５】
このように、本実施の形態において、第１コネクタ１は、各々が、第１ハウジング１１と、第１ハウジング１１に取付けられた複数の第１端子６１とを含む左右一対の左半体部１０Ａ及び右半体部１０Ｂと、左半体部１０Ａ及び右半体部１０Ｂの第１ハウジング１１同士が突合されて第１ハウジング１１の両端に形成される第１突出端部１８に取付けられ、左半体部１０Ａ及び右半体部１０Ｂを結合する第１補強金具５１とを備え、第１ハウジング１１の各々は、その長手方向に延在し、第１端子６１を保持する第１凸部１２と、第１凸部１２の長手方向両端に接続された延長端部１４と、延長端部１４から相手方の半体部に向けて延出する端壁部１５とを含み、第１突出端部１８の各々は、互いに突合された左右の端壁部１５と端壁部１５が延出する左右の延長端部１４とを含んでいる。
【００８６】
これにより、複数の第１端子６１が取付けられた第１ハウジング１１同士の間隔を狭くすることができ、第１コネクタ１の小型化が可能となる。また、第１コネクタ１の製造が容易となるとともに、第１コネクタ１の信頼性が向上する。
【００８７】
また、第１補強金具５１は、第１ハウジング１１の幅方向に延在する上板としての端壁上面覆部５７及び延長端上面覆部５４と、上板の両側縁に接続され、端壁部１５を挟持する一対の端壁挟持板としての端壁外面覆部５２及び端壁内面覆部５３と、上板の両端に接続され、延長端部１４を挟持する一対の延長端挟持板としての脚部５５とを含み、端壁上面覆部５７は、端壁部１５の上面１５ａに対向し、延長端上面覆部５４は、端壁上面覆部５７の両端に接続されて延長端部１４の上面１４ａに対向し、端壁外面覆部５２は端壁部１５の外側面１５ｂに対向し、端壁内面覆部５３は端壁部１５の内側面１５ｃに対向し、脚部５５は、延長端上面覆部５４の外側端に接続され、延長端部１４の外側面１４ｂに対向する。これにより、左半体部１０Ａの端壁部１５と右半体部１０Ｂの端壁部１５とが強固に結合されて第１突出端部１８が確実に構成され、左半体部１０Ａと右半体部１０Ｂとが確実に結合される。
【００８８】
さらに、端壁部１５の上面１５ａ及び延長端部１４の上面１４ａは第１凸部１２の嵌合面１２ａより凹入し、端壁部１５の外側面１５ｂは延長端部１４の端面１４ｄより凹入し、端壁部１５の内側面１５ｃは端壁基部内側面１５ｈより凹入し、延長端部１４の外側面１４ｂは第１凸部１２の外側面１２ｂより凹入し、端壁上面覆部５７及び延長端上面覆部５４は第１凸部１２の嵌合面１２ａから突出せず、端壁外面覆部５２及び端壁内面覆部５３は第１突出端部１８の露出側面としての端面１４ｄ及び端壁基部内側面１５ｈから突出せず、脚部５５は第１凸部１２の外側面１２ｂから突出しない。したがって、第１補強金具５１の表面は、第１ハウジング１１の表面より突出することがない。
【００８９】
さらに、端壁部１５は、厚肉部１５ｅと厚肉部１５ｅの下側に接続された薄肉部１５ｆとを含み、延長端部１４は、厚肉部１４ｅと厚肉部１４ｅの下側に接続された薄肉部１４ｆとを含み、第１突出端部１８に取付けられる前の第１補強金具５１において、端壁挟持板同士の最接近部としての端壁外面覆部５２の下側曲部５２ｂ及び端壁内面覆部５３の下側曲部５３ｂの間隔は、端壁部１５の厚肉部１５ｅに対応する箇所の外側面１５ｂと内側面１５ｃとの間隔より狭く、延長端挟持板同士の最接近部としての左右の脚部５５の下側曲部５５ｂの間隔は、延長端部１４の厚肉部１４ｅに対応する箇所の外側面１４ｂ同士の間隔より狭い。これにより、第１補強金具５１が第１突出端部１８に取付けられる際には、端壁外面覆部５２と端壁内面覆部５３とが押広げられ、かつ、左右の脚部５５が押広げられるので、第１突出端部１８への第１補強金具５１の取付けが完了すると、端壁外面覆部５２と端壁内面覆部５３とがばね性を発揮して端壁部１５を前後から締付け、左右の脚部５５がばね性を発揮して延長端部１４を左右から締付ける。したがって、端壁部１５は、第１補強金具５１によって前後左右から締付けられた状態となり、互いに当接した結合面１５ｄ同士が密着して一体的になるので、第１突出端部１８が確実に構成される。
【００９０】
さらに、端壁部１５の外側面１５ｂは、厚肉部１５ｅに対応する外側凸面１５ｂ１と薄肉部１５ｆに対応する外側凹面１５ｂ２との間の段差を含み、端壁部１５の内側面１５ｃは、厚肉部１５ｅに対応する内側凸面１５ｃ１と薄肉部１５ｆに対応する内側凹面１５ｃ２との間の段差を含み、延長端部１４の外側面１４ｂは、厚肉部１４ｅに対応する外側凸面１４ｂ１と薄肉部１４ｆに対応する外側凹面１４ｂ２との間の段差を含んでいる。これにより、第１突出端部１８に取付けられた第１補強金具５１に上方向に向いた外力が付与されても、端壁外面覆部５２の下側曲部５２ｂ、端壁内面覆部５３の下側曲部５３ｂ及び脚部５５の下側曲部５５ｂが段差に引掛り、第１補強金具５１の取外しが困難になる。したがって、第１補強金具５１の抜けが確実に防止される。
【００９１】
次に、第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００９２】
図１３は第２の実施の形態における第１補強金具の斜視図、図１４は第２の実施の形態における第１補強金具の第１の三面図、図１５は第２の実施の形態における第１補強金具の第２の三面図である。なお、図１４において、（ａ）は正面図、（ｂ）は背面図、（ｃ）は側面図であり、図１５において、（ａ）は上面図、（ｂ）は（ａ）におけるＧ−Ｇ矢視断面図、（ｃ）は（ａ）におけるＨ−Ｈ矢視断面図である。
【００９３】
本実施の形態における第１補強金具５１は、端壁外面覆部５２、端壁内面覆部５３及び脚部５５に形成されたロック用突起としての半球状の突起５８を含んでいる。該突起５８は、第１突出端部１８への第１補強金具５１の取付けが完了した状態で、端壁部１５の外側凸面１５ｂ１と外側凹面１５ｂ２との間の段差及び内側凸面１５ｃ１と内側凹面１５ｃ２との間の段差、並びに、延長端部１４の外側凸面１４ｂ１と外側凹面１４ｂ２との間の段差に係合するように形成されている。したがって、第１補強金具５１を相対的に端壁部１５に対して上昇させて取外す際に、突起５８が前記段差に係合しているので、取外しが困難になる。すなわち、第１補強金具５１の抜けを防止する機能が発揮される。
【００９４】
前記突起５８は、プレス等の加工を施すことによって、端壁外面覆部５２、端壁内面覆部５３及び脚部５５を構成する金属板の一部を膨出させて形成された部分であり、端壁外面覆部５２、端壁内面覆部５３及び脚部５５の内側の面から半球状に突出するように形成されている。なお、端壁外面覆部５２、端壁内面覆部５３及び脚部５５の外側の面には、金属板を膨出させて突起５８を形成して結果として、各突起５８に対応する位置に凹部５８ａが形成されている。
【００９５】
前記突起５８は、端壁外面覆部５２、端壁内面覆部５３及び脚部５５の各々の少なくとも１箇所に形成されるようになっているが、必要に応じて２箇所以上に形成されていてもよい。また、上下方向（Ｚ軸方向）に関する突起５８の位置は、第１突出端部１８への第１補強金具５１の取付けが完了した状態で、突起５８の上側の面５８ｂが前記段差に当接するような位置であることが望ましい。
【００９６】
このように、本実施の形態において、第１補強金具５１は、端壁外面覆部５２、端壁内面覆部５３及び脚部５５に形成された突起５８であって、段差に係合する突起５８を含んでいる。これにより、第１突出端部１８に取付けられた第１補強金具５１に上方向に向いた外力が付与されても、突起５８が端壁部１５の外側面１５ｂ及び内側面１５ｃ、並びに、延長端部１４の外側面１４ｂに含まれる段差に係合するので、第１補強金具５１の取外しがより困難になる。したがって、第１補強金具５１の抜けがより確実に防止される。
【００９７】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。例えば、端子の千鳥配置は規則的でなくてもよい。また、左右の半体部で端子の配置が同じ必要はない。さらに、左右の半体部が線対称でなくてもよい。
【産業上の利用可能性】
【００９８】
本開示は、コネクタに適用することができる。
【符号の説明】
【００９９】
１    第１コネクタ
１０Ａ    左半体部
１０Ｂ    右半体部
１１    第１ハウジング
１２    第１凸部
１２ａ、１１１ａ    嵌合面
１２ｂ、１４ｂ、１５ｂ    外側面
１２ｃ、１５ｃ    内側面
１３、１１２ａ    凹溝部
１４    延長端部
１４ａ、１５ａ    上面
１４ｂ１、１５ｂ１    外側凸面
１４ｂ２、１５ｂ２    外側凹面
１４ｄ    端面
１４ｅ、１５ｅ    厚肉部
１４ｆ、１５ｆ    薄肉部
１５    端壁部
１５ｃ１    内側凸面
１５ｃ２    内側凹面
１５ｄ    結合面
１５ｇ    内側端部
１５ｈ    端壁基部内側面
１７    底板部
１７ａ、１１１ｂ    実装面
１８    第１突出端部
５１    第１補強金具
５２    端壁外面覆部
５２ａ、５３ａ、５５ａ    上側曲部
５２ｂ、５３ｂ、５５ｂ    下側曲部  
５３    端壁内面覆部
５４    延長端上面覆部
５５    脚部
５６、６２、１５６、１６２    テール部
５７    端壁上面覆部
５８    突起
５８ａ、１１２    凹部
５８ｂ    面
６１    第１端子
６３、１６３    本体部
６４    上端部
６５、１６５    接触部
６５ａ    接触凹部
１０１    第２コネクタ
１１１    第２ハウジング
１１３    第２凸部
１１４    側壁部
１１５    第２端子収容キャビティ
１１５ａ    第２端子収容溝キャビティ
１１５ｂ    第２端子収容孔キャビティ
１２１    第２突出端部
１２２    嵌合凹部
１２６    補強金具収容凹部
１５１    第２補強金具
１５２    第２本体部
１５３    側方覆部
１５４    接触側板部
１５７    中央覆部
１６１    第２端子
１６４    接続部
１６５ａ    接触凸部
８１１    ハウジング
８１２    凸部
８６１    端子
【図１】
2020030934.tif 000003
【図２】
2020030934.tif 000004
【図３】
2020030934.tif 000005
【図４】
2020030934.tif 000006
【図５】
2020030934.tif 000007
【図６】
2020030934.tif 000008
【図７】
2020030934.tif 000009
【図８】
2020030934.tif 000010
【図９】
2020030934.tif 000011
【図１０】
2020030934.tif 000012
【図１１】
2020030934.tif 000013
【図１２】
2020030934.tif 000014
【図１３】
2020030934.tif 000015
【図１４】
2020030934.tif 000016
【図１５】
2020030934.tif 000017
【図１６】
2020030934.tif 000018